(57)【特許請求の範囲】
【請求項１】
カメラ本体および前記カメラ本体に対して交換可能に装着される交換レンズを含むカメラシステムにおいて、
前記交換レンズは、
光学状態を変更することにより装着された前記カメラ本体に入射する被写体光束の状態を調節可能な光学手段と、
前記カメラ本体と通信を行うレンズ通信手段と、
撮影者の指の接触、および、接触位置を含む接触状態を検出する検出面であって、前記光学手段の光軸方向と略同一の方向に分割される第１の領域と、第２の領域を有する検出面を有し、前記光学手段の光軸方向と略同一の方向での前記検出面の接触位置を検出する接触位置検出手段と、
前記接触位置検出手段で検出される前記接触位置を含む前記指の接触状態に応じた前記光学手段の制御動作と前記レンズ通信手段による前記光学手段の制御動作の情報の前記カメラ本体への送信動作、または、前記接触状態に応じた撮影制御情報の変更動作と前記レンズ通信手段による前記撮影制御情報の前記カメラ本体への送信動作、の少なくとも一つを実行させるレンズ制御手段と、
を有し、
前記レンズ制御手段は、前記検出面の第１の領域の接触の有無と接触位置の前記光軸方向の位置に関する前記接触位置検出手段の検出結果に応じて前記撮影制御情報である前記カメラ本体の動作モードの設定値を設定し、
前記検出面の第２の領域の接触の有無に関する前記接触位置検出手段の検出結果に応じて動作モードを設定し、設定された前記動作モードに応じた動作設定値を、前記検出面の接触により設定可能とし、
前記カメラ本体は、
前記光学手段の制御動作の情報または前記撮影制御情報を記憶する本体記憶手段と、
前記交換レンズと通信を行う本体通信手段と、
前記本体通信手段により取得した前記光学手段の制御動作の情報または前記撮影制御情報を前記本体記憶手段に格納する本体制御手段と、
を有する
ことを特徴とするカメラシステム。
【請求項２】
前記交換レンズは、前記接触位置検出手段における前記接触位置を触覚によって前記撮影者に認識させる指標を有する
ことを特徴とする請求項１に記載のカメラシステム。
【請求項３】
前記交換レンズは、前記接触位置検出手段の近傍、又は前記接触位置検出手段と一体に配置されるレンズ側表示手段を有し、
前記レンズ制御手段は、前記接触位置検出手段で検出される前記接触状態により実行される前記動作モードおよび前記動作設定値を前記レンズ側表示手段に表示させる
ことを特徴とする請求項１または請求項２に記載のカメラシステム。
【請求項４】
前記交換レンズを経由して入射した前記被写体光束の画像を取得し表示する本体表示手段を有し、
前記本体制御手段は、前記本体通信手段により取得された前記光学手段の制御動作の情報または前記撮影制御情報を前記本体表示手段に表示する
ことを特徴とする請求項１または請求項２に記載のカメラシステム。
【請求項５】
前記接触位置検出手段は、前記レンズ側表示手段を兼ねるタッチパネルからなる
ことを特徴とする請求項３に記載のカメラシステム。
【請求項６】
カメラ本体に対して交換可能に装着される交換レンズにおいて、
光学状態を変更することにより装着された前記カメラ本体に入射する被写体光束の状態を調節可能な光学手段と、
撮影者の指の接触、および、接触位置を含む接触状態を検出する検出面であって、前記光学手段の光軸方向と略同一の方向に分割される第１の領域と、第２の領域を有する検出面を有し、前記光学手段の光軸方向と略同一の方向での前記検出面の接触位置を検出する接触位置検出手段と、
前記接触位置検出手段で検出される前記接触位置を含む前記指の接触状態に応じて前記光学手段の光学状態を制御するレンズ制御手段と、
を有し、
前記レンズ制御手段は、前記検出面の第１の領域の接触の有無と接触位置の前記光軸方向の位置に関する前記接触位置検出手段の検出結果に応じて動作設定値を設定し、前記動作設定値に応じて前記光学手段の光学状態を制御し、
前記検出面の第２の領域の接触の有無に関する前記接触位置検出手段の検出結果に応じて動作モードを設定し、設定された前記動作モードに応じた前記動作設定値を、前記検出面の接触により設定可能となるように前記接触位置検出手段を制御する
ことを特徴とする交換レンズ。
【請求項７】
前記接触位置検出手段の近傍、又は前記接触位置検出手段と一体に配置されるレンズ側表示手段を有し、
前記レンズ制御手段は、前記動作モードを前記レンズ側表示手段に表示させる
ことを特徴とする請求項６に記載の交換レンズ。
【請求項８】
前記検出面の近傍に設けられ、前記接触位置検出手段での前記接触位置を触覚によって前記撮影者に認識させる指標を有する
ことを特徴とする請求項６に記載の交換レンズ。
【請求項９】
前記指標は、突起、溝、点字、粗面と光沢面の組合せ、の少なくとも一つを含む
ことを特徴とする請求項８に記載の交換レンズ。
【請求項１０】
前記光学手段は、焦点を調節するフォーカスレンズ群と焦点距離を調節するズームレンズ群と前記カメラ本体に入射する光束を規制する絞り部を有し、
前記動作モードは、前記フォーカスレンズ群を移動する焦点調節動作モードと、前記ズームレンズ群を移動するズーム調節動作モードと、前記絞り部の開口を調節する絞り調節動作モードである
ことを特徴とする請求項６に記載の交換レンズ。
【請求項１１】
前記光学手段は、焦点を調節するフォーカスレンズ群と焦点距離を調節するズームレンズ群と前記カメラ本体に入射する光束を規制する絞り部を有し、
前記動作設定値は、前記フォーカスレンズ群を移動に応じた焦点調節位置と、前記ズームレンズ群の移動に応じたズーム位置と、前記絞り部の開口に対応する絞り位置である
ことを特徴とする請求項６に記載の交換レンズ。
【請求項１２】
カメラ本体に対して交換可能に装着される交換レンズにおいて、
光学状態を変更することにより装着された前記カメラ本体に入射する被写体光束の状態を調節可能な光学手段と、
撮影者の指の接触、および、接触位置を含む接触状態を検出する検出面であって、前記光学手段の光軸方向と略同一の方向に分割される第１の領域と、第２の領域を有する検出面を有し、前記光学手段の光軸方向と略同一の方向での前記検出面の接触位置を検出する接触位置検出手段と、
前記接触位置検出手段で検出される前記接触位置を含む前記指の接触状態に応じて前記光学手段の光学状態を制御するレンズ制御手段と、
を有し、
前記接触位置検出手段は、前記光学手段の光軸方向と略直交する方向での前記検出面の接触位置の変化を検出することが可能であり、
前記レンズ制御手段は、前記接触位置検出手段により前記光軸方向と略同一の方向と略直交する方向のうちの一方の方向に関する接触位置の変化に応じて、前記光学手段の光学状態を制御する動作モードを設定し、他方の方向の接触位置の変化に応じて前記動作モードに対応する動作設定値を設定する
ことを特徴とする交換レンズ。
【請求項１３】
前記接触位置検出手段は、接触位置の変化に応じて前記動作モードと前記動作設定値を設定する際に前記検出面の接触位置を検出する領域の範囲を変更することが可能であり、接触を検出している状態では、接触を検出していない場合よりも前記範囲を狭くする
ことを特徴とする請求項１２に記載の交換レンズ。
【発明の詳細な説明】
【技術分野】
【０００１】
本発明は、カメラシステムおよび交換レンズに関する。
【背景技術】
【０００２】
近年、映像機器の進歩は著しく、カメラの分野でも撮影機能が年々増え、撮影者が操作可能な機能も増加し、操作機能についても様々な方法が提案されている。例えば、特許文献１に開示されているような交換レンズに設けられた釦、又は、ダイアルを操作することにより、交換レンズ内のフォーカスレンズ、又は、ズームレンズを予め登録された所定位置に駆動するプリセット操作に関する操作方法や、特許文献２に開示されているような、一般的な交換レンズ鏡胴の外周部に設置されているマニュアルフォーカス環の代わりにタッチセンサを設置し、このタッチセンサで検出した指の移動方向、移動量、移動速度に応じて交換レンズ内のフォーカスレンズの駆動するマニュアルフォーカス（パワーフォーカス）操作に関する方法が提案されている。又、最近はカメラの小型化やカメラ背面モニタの大型化に伴い、背面モニタに設けたタッチパネルを操作手段として用いる方法も多く提案されており、特許文献３、特許文献４に開示されているような、ファインダ接眼時に背面モニタ上でのタッチパネル操作が不自由となることを考慮し、ファインダ接眼時にはタッチパネルでの操作項目や操作範囲を限定する方法等も提案されている。
【先行技術文献】
【特許文献】
【０００３】
【特許文献１】特許４５９０８９１号公報
【特許文献２】特開２００９−１６９２６６号公報
【特許文献３】特開２００８−２６８７２６号公報
【特許文献４】特開２０１０−１３４０７７号公報
【発明の概要】
【発明が解決しようとする課題】
【０００４】
しかしながら、上述の従来技術には、以下に示すような技術的課題がある。
特許文献１に開示されているプリセット操作の場合、プリセット位置へのレンズ駆動を機械的な可動部を有する釦やダイアルの操作で行うため、操作時に機械的な操作音が発生したり、操作時にカメラがぶれて撮影画面が揺れたりする可能性がある。これらの機械的な操作音や撮影画面の揺れは、静止画撮影時には大きな問題とはならないが、最近のデジタルカメラに装備されている動画モードでの撮影時に、操作音が録音されたり画面が揺れることで、映像の品位が損なわれるという技術的課題が生じる。
特許文献２に開示されているタッチセンサによるマニュアルフォーカス操作の場合、動画撮影時に操作音が発生する可能性は低いが、レンズ外周のタッチセンサ上で指を動かす移動量や速度でレンズ駆動を制御する操作には習熟を要し、適切な操作が行われないとピントの変化が不自然なものとなり、映像の品位が損なわれるという技術的課題が生じる。また、静止画撮影においても不慣れなうちはマニュアルフォーカス操作がストレスの多いものとなる可能性がある。特許文献３、特許文献４に開示されているファインダ接眼時の操作制限の場合、撮影者によっては操作が必要な項目が制限されてしまう可能性があり、また、操作可能であるとしてもファインダに接眼した顔の周辺や顔とカメラの間で指を動かす操作となるので、カメラのホールド性や操作性が悪くなるという技術的課題がある。
【０００５】
本発明の目的は、機械的な操作音や撮影画面の揺れ等を生じることなく、撮影時における各種カメラ機能操作の操作性を向上させる技術を提供することにある。
【課題を解決するための手段】
【０００６】
本発明の第１の観点は、カメラ本体および前記カメラ本体に対して交換可能に装着される交換レンズを含むカメラシステムにおいて、前記交換レンズは、光学状態を変更することにより装着された前記カメラ本体に入射する被写体光束の状態を調節可能な光学手段と、前記カメラ本体と通信を行うレンズ通信手段と、撮影者の指の接触、および、接触位置を含む接触状態を検出する検出面であって、前記光学手段の光軸方向と略同一の方向に分割される第１の領域と、第２の領域を有する検出面を有し、前記光学手段の光軸方向と略同一の方向での前記検出面の接触位置を検出する接触位置検出手段と、前記接触位置検出手段で検出される前記接触位置を含む前記指の接触状態に応じた前記光学手段の制御動作と前記レンズ通信手段による前記光学手段の制御動作の情報の前記カメラ本体への送信動作、または、前記接触状態に応じた撮影制御情報の変更動作と前記レンズ通信手段による前記撮影制御情報の前記カメラ本体への送信動作、の少なくとも一つを実行させるレンズ制御手段と、を有し、前記レンズ制御手段は、前記検出面の第１の領域の接触の有無と接触位置の前記光軸方向の位置に関する前記接触位置検出手段の検出結果に応じて前記撮影制御情報である前記カメラ本体の動作モードの設定値を設定し、前記検出面の第２の領域の接触の有無に関する前記接触位置検出手段の検出結果に応じて動作モードを設定し、設定された前記動作モードに応じた動作設定値を、前記検出面の接触により設定可能とし、前記カメラ本体は、前記光学手段の制御動作の情報または前記撮影制御情報を記憶する本体記憶手段と、前記交換レンズと通信を行う本体通信手段と、前記本体通信手段により取得した前記光学手段の制御動作の情報または前記撮影制御情報を前記本体記憶手段に格納する本体制御手段と、を有するカメラシステムを提供する。
【０００７】
本発明の第２の観点は、カメラ本体に対して交換可能に装着される交換レンズにおいて、光学状態を変更することにより装着された前記カメラ本体に入射する被写体光束の状態を調節可能な光学手段と、撮影者の指の接触、および、接触位置を含む接触状態を検出する検出面であって、前記光学手段の光軸方向と略同一の方向に分割される第１の領域と、第２の領域を有する検出面を有し、前記光学手段の光軸方向と略同一の方向での前記検出面の接触位置を検出する接触位置検出手段と、前記接触位置検出手段で検出される前記接触位置を含む前記指の接触状態に応じて前記光学手段の光学状態を制御するレンズ制御手段と、を有し、前記レンズ制御手段は、前記検出面の第１の領域の接触の有無と接触位置の前記光軸方向の位置に関する前記接触位置検出手段の検出結果に応じて動作設定値を設定し、前記動作設定値に応じて前記光学手段の光学状態を制御し、前記検出面の第２の領域の接触の有無に関する前記接触位置検出手段の検出結果に応じて動作モードを設定し、設定された前記動作モードに応じた前記動作設定値を、前記検出面の接触により設定可能となるように前記接触位置検出手段を制御する交換レンズを提供する。
【０００８】
本発明の第３の観点は、カメラ本体に対して交換可能に装着される交換レンズにおいて、光学状態を変更することにより装着された前記カメラ本体に入射する被写体光束の状態を調節可能な光学手段と、撮影者の指の接触、および、接触位置を含む接触状態を検出する検出面であって、前記光学手段の光軸方向と略同一の方向に分割される第１の領域と、第２の領域を有する検出面を有し、前記光学手段の光軸方向と略同一の方向での前記検出面の接触位置を検出する接触位置検出手段と、を有し、前記接触位置検出手段は、前記光学手段の光軸方向と略直交する方向での前記検出面の接触位置の変化を検出することが可能であり、前記レンズ制御手段は、前記接触位置検出手段により前記光軸方向と略同一の方向と略直交する方向のうちの一方の方向に関する接触位置の変化に応じて、前記光学手段の光学状態を制御する動作モードを設定し、他方の方向の接触位置の変化に応じて前記動作モードに対応する動作設定値を設定する交換レンズを提供する。
【発明の効果】
【０００９】
本発明によれば、機械的な操作音や撮影画面の揺れ等を生じることなく、撮影時における各種カメラ機能操作の操作性を向上させる技術を提供することができる。
【図面の簡単な説明】
【００１０】
【図１】本発明の実施の形態１に係る交換レンズをカメラ本体に装着したカメラシステムの側面外観の模式図である。
【図２】本発明に係る交換レンズをカメラ本体に装着した際の構成の概要図である。
【図３】本発明に係るカメラシステムの制御系の構成例を示すブロック図である。
【図４】本発明の実施の形態１に係る交換レンズのタッチパネル表示の一例を示す図である。
【図５】本発明の実施の形態１に係る交換レンズのタッチパネルでのプリセット値の選択状態表示の一例を示す図である。
【図６】本発明の実施の形態１に係る交換レンズのタッチパネルのタッチ位置検出領域と指標設置位置との位置関係と指標タイプの一例を示す図である。
【図７Ａ】本発明の実施の形態１に係る交換レンズのタッチパネルの変形例を示す正面図である。
【図７Ｂ】図７Ａにおける線Ａ−Ａの部分の断面図である。
【図８】本発明の実施の形態１に係るカメラ本体の背面モニタ上でのプリセット設定表示の一例を示す図である。
【図９】本発明の実施の形態１に係るカメラ本体の背面モニタでのプリセット値の選択状態表示の一例を示す図である。
【図１０】本発明の実施の形態１に係る交換レンズのタッチパネル操作で、プリセット動作モード、プリセット値を変更する場合の表示変更順の一例を示す図である。
【図１１】本発明に係る交換レンズを装着したカメラの撮影動作の一例を説明するためのフローチャートである。
【図１２】本発明の実施の形態１に係る交換レンズのプリセット動作関連処理の一例を説明するためのフローチャートである。
【図１３】本発明の実施の形態２に係る交換レンズのタッチパネルのタッチ位置検出領域と表示の一例を示す図である。
【図１４】本発明の実施の形態２に係る交換レンズのプリセット動作関連処理の一例を説明するためのフローチャートである。
【図１５】本発明の実施の形態３に係る交換レンズのタッチパネルのタッチ位置検出領域と表示の一例を示す図である。
【図１６】本発明の実施の形態３に係る交換レンズのプリセット動作関連処理の一例を説明するためのフローチャートである。
【発明を実施するための形態】
【００１１】
以下、図面を参照しながら、本発明の実施の形態について詳細に説明する。
（実施の形態１）
図１は、本発明の実施の形態１に係る交換レンズをカメラ本体に装着したカメラシステムの側面外観の模式図である。本実施の形態１のカメラシステム１００は、カメラ本体１０１と、このカメラ本体１０１に交換可能に装着される交換レンズ２０１を備えている。カメラ本体１０１の上面には、レリーズ釦１０７が設けられている。また、交換レンズ２０１において、後述の光学系２０１ｂ（光学手段）が収容される鏡胴２０１ａの側面には、タッチパネル２０６（タッチパネル）（接触位置検出手段）と、このタッチパネル２０６に対応して配置された指標２０７（指標）を備えている。なお、カメラ本体１０１、レリーズ釦１０７、交換レンズ２０１、タッチパネル２０６等については、後述の図２において詳細に説明する。本実施の形態１では、後述のように、指標２０７は、カメラシステム１００を使用する撮影者がタッチパネル２０６の表示を目視確認しなくとも親指の感触でタッチパネル２０６のタッチ位置を認識してタッチ操作が行えるように、タッチパネル２０６の近傍の下側のモニタに表示されている動作モードや設定値の表示に対応する位置に設置されている。すなわち、本実施の形態１では撮影時に交換レンズ２０１の鏡胴２０１ａを下から左手で支持して親指でタッチパネル２０６の操作を行うことを想定しており、交換レンズ２０１の鏡胴２０１ａの側面のタッチパネル２０６を直接目視しないで指の感触でタッチ位置を認識して操作を行うための指標２０７を配置している。
【００１２】
本実施の形態１は、撮影制御情報の一例として、プリセットフォーカスやプリセットズーム等の設定や操作を、交換レンズ２０１のタッチパネル２０６の操作により行う例について説明する。図２は、本発明に係る交換レンズをカメラ本体に装着した際の構成の概要図である。カメラ本体１０１はカメラ制御回路１０２、撮像素子１０３、フォーカルプレンシャッタ１０４、背面モニタ１０５（本体表示手段）、ストロボ１０６、レリーズ釦１０７、および、バッテリー１０８等を含んで構成される。カメラ制御回路１０２は撮影者によるレリーズ釦１０７の操作に応じて撮像素子１０３、フォーカルプレンシャッタ１０４を制御すると共に、レンズ制御回路２０２を通して交換レンズ２０１の各種駆動制御を行い、必要があればストロボ１０６の発光制御も行い、各種カメラ操作に応じて背面モニタ１０５の表示制御を行う。撮像素子１０３は、ＣＣＤやＣＭＯＳセンサ等で構成され、交換レンズ２０１の光学系２０１ｂにより撮像面に結像された被写体像の撮像を行う。フォーカルプレンシャッタ１０４は、レリーズ釦１０７の操作に応じたカメラ制御回路１０２からの指示により開閉動作することで撮像素子１０３への露光動作を行う。背面モニタ１０５は、液晶や有機ＥＬ等で構成され、撮影待機時や動画撮影時に撮像素子１０３から出力される画像を実時間で表示するスルー画像表示（いわゆるライブビュー）や、撮影者による不図示の再生釦や各種設定手段の操作に応じて再生画像や設定情報等の表示を行う。
【００１３】
ストロボ１０６は、カメラ制御回路１０２からの指示によりフォーカルプレンシャッタ１０４での露光動作と同期して発光動作を行う。レリーズ釦１０７は、撮影者が操作することで、カメラ本体１０１に交換レンズ２０１を装着したカメラシステム１００に自動露出（ＡＥ）、自動焦点調節（ＡＦ）、露光等の撮影動作を実行させる。バッテリー１０８は、カメラ本体１０１、交換レンズ２０１に電力を供給する。一方、交換レンズ２０１は、鏡胴２０１ａの内部に軸方向に配列された焦点調節レンズ２０３、ズームレンズ２０４、絞り２０５等からなる光学系２０１ｂと、この光学系２０１ｂを制御するレンズ制御回路２０２、および、タッチパネル２０６等を含んで構成される。レンズ制御回路２０２は、カメラ制御回路１０２からの指示、又は、撮影者によるタッチパネル２０６の操作に応じて焦点調節レンズ２０３、ズームレンズ２０４、および、絞り２０５の駆動制御等を行う。焦点調節レンズ２０３は、レンズ制御回路２０２からの指示により光軸方向に移動して交換レンズ２０１の焦点状態を調節する。ズームレンズ２０４は、レンズ制御回路２０２からの指示により光軸方向に移動して交換レンズ２０１の焦点距離の変更を行う。絞り２０５は、レンズ制御回路２０２からの指示により開口面積を変化させて、鏡胴２０１ａの外端から入射する被写体光７００の光量を調節する。タッチパネル２０６は、交換レンズ２０１の鏡胴２０１ａの側面の動作モードや設定値等を表示するモニタ上に設置され、撮影者による各種操作入力を検出する。以下、本実施の形態では、モニタとタッチパネルを合せて両機能を備えた部材として扱い、タッチパネル２０６と称する。
【００１４】
次に、図３のブロック図を参照して、本実施の形態１のカメラシステム１００における制御系の構成例を説明する。図３は、本発明に係るカメラシステムの制御系の構成例を示すブロック図である。まず、カメラ本体１０１の制御系は一例として以下の通りである。カメラ本体ＣＰＵ１２１（本体制御手段）（Ｂ＿ＣＰＵ）は、不揮発性メモリ１２２（本体記憶手段）（ＦＲＯＭ）、メモリ１２３、撮像素子制御回路１２４、画像処理回路１２７、シャッタ制御回路１２６、表示回路１２８、ストロボ制御回路１２５、操作スイッチ検出回路１２９、電源回路１３０、および、カメラ本体通信回路１３１（本体通信手段）等が接続され、カメラシステム１００の全体の制御を司る。不揮発性メモリ１２２は、書き換え可能な不揮発性の半導体メモリ等で構成され、カメラ本体ＣＰＵ１２１のプログラム１４０等が格納されている。そして、カメラ本体ＣＰＵ１２１がプログラム１４０を実行することで、後述の各フローチャートに例示される動作におけるカメラ本体１０１側の制御動作が実現される。メモリ１２３は、ＲＡＭ等の半導体メモリで構成され、カメラ本体ＣＰＵ１２１が使用するプログラムや各種情報を一時格納する。撮像素子制御回路１２４は撮像素子１０３を制御し、スルー画表示、ＡＥ、ＡＦ、露光等の画像データを必要とする処理の動作実行時に、被写体像を画像信号に変換するための撮像動作を撮像素子１０３に実行させる。ストロボ制御回路１２５は、ストロボ１０６の発光制御を行う。シャッタ制御回路１２６は、フォーカルプレンシャッタ１０４の開閉動作制御を行う。
【００１５】
画像処理回路１２７は、撮像素子１０３から出力される画像信号にＡ／Ｄ変換やフィルタ処理等の画像処理を施して撮影画像として記憶する画像データ生成や、焦点検出領域内の画像データから高周波成分を抽出してＡＦ評価値を算出する等の処理を行う。表示回路１２８は、撮影した画像や各種撮影情報等を背面モニタ１０５に表示する。操作スイッチ検出回路１２９は、撮影者が操作するカメラ本体１０１のカメラの撮影モードを切り替える図示しない切り替えスイッチや、レリーズ釦１０７の操作によって動作する第１レリーズスイッチ１３２、第２レリーズスイッチ１３３等の各種操作スイッチが接続され、各操作スイッチの状態を検出する。電源回路１３０は、バッテリー１０８の電圧の平滑化や昇圧等を行ってカメラに電源を供給する。カメラ本体通信回路１３１は、レンズＣＰＵ２２１（レンズ制御手段）とレンズ通信回路２２９（レンズ通信手段）を介して通信する。第１レリーズスイッチ１３２は、一般的な２段階スイッチであるレリーズ釦１０７の半押しでオン状態となり、操作スイッチ検出回路１２９でオン状態が検出されるとカメラ本体ＣＰＵ１２１によりＡＥ、ＡＦ動作等が実行される（以下、１Ｒスイッチと称する）。
【００１６】
第２レリーズスイッチ１３３は、２段階スイッチであるレリーズ釦１０７の全押しでオン状態となり、操作スイッチ検出回路１２９でオン状態が検出されるとカメラ本体ＣＰＵ１２１により露光動作が実行される（以下、２Ｒスイッチと称する）。一方、交換レンズ２０１の制御系は以下の通りである。レンズＣＰＵ２２１（Ｌ＿ＣＰＵ）には、焦点調節レンズ駆動回路２２２、焦点調節レンズ位置検出回路２２３、ズームレンズ駆動回路２２４、ズーム位置検出回路２２５、絞り駆動回路２２６、メモリ２２７（レンズ記憶手段）、パネル制御回路２２８、および、レンズ通信回路２２９等が接続されている。そして、レンズＣＰＵ２２１は、レンズ駆動や絞り駆動等の各種駆動制御を行うと共に、レンズ通信回路２２９、カメラ本体通信回路１３１を介してカメラ本体ＣＰＵ１２１と通信を行い、動作命令の受信、交換レンズ２０１のレンズ動作状態や光学データ等の送信を行う。
【００１７】
焦点調節レンズ駆動回路２２２は、ステッピングモータ等のアクチュエータやモータドライバ等を含んで構成され、焦点調節レンズ２０３の駆動制御を行う。焦点調節レンズ位置検出回路２２３は、焦点調節レンズ駆動回路２２２に含まれる駆動用モータの回転量をパルス数に変換するフォトインタラプタ（ＰＩ）回路等を含んで構成され、焦点調節レンズ２０３の位置検出を行う。ズームレンズ駆動回路２２４は、ステッピングモータ等のアクチュエータやモータドライバ等を含んで構成され、ズームレンズ２０４の駆動制御を行う。ズーム位置検出回路２２５は、エンコーダを含んで構成され、エンコーダの出力に基づいてズームレンズ２０４の位置検出を行う。絞り駆動回路２２６は、ステッピングモータ等のアクチュエータやモータドライバ等を含んで構成され、絞り２０５の開口動作制御を行う。メモリ２２７は、ＲＡＭ等の半導体メモリで構成され、レンズＣＰＵ２２１のプログラム２４０や各種情報を一時格納する。プログラム２４０は、交換レンズ２０１内の図示しない不揮発性メモリに格納され、レンズＣＰＵ２２１によって実行されることで、後述の各フローチャートに例示される交換レンズ２０１の側の動作を実現する。パネル制御回路２２８は、タッチパネル２０６に対する指の接触状態を検出すると共に、タッチパネル２０６の背後の表示用モニタに操作モードや操作設定値等の情報表示を行う。レンズ通信回路２２９は、交換レンズ２０１の外部に設けられる通信接続端子を介して、カメラ本体１０１のカメラ本体通信回路１３１と接続され、カメラ本体ＣＰＵ１２１からの焦点調節レンズ２０３や絞り２０５の駆動命令等の受信、光学データ、レンズ位置情報、動作状態等のカメラ本体ＣＰＵ１２１への送信を行う。
【００１８】
次に、本実施の形態１におけるタッチパネル２０６について、さらに詳細に説明する。
図４は、本発明の実施の形態１に係る交換レンズのタッチパネル表示の一例を示す図である。本実施の形態１では、タッチパネル２０６には、動作モード表示領域２０６ａと設定値表示領域２０６ｂが設けられている。そして、動作モード表示領域２０６ａは、既定のプリセット動作モード表示領域２０６ａｐとして使用され、設定値表示領域２０６ｂは、対応する既定のプリセット値表示領域２０６ｂｐとして使用される。すなわち、タッチパネル表示４ａは、予め設定された所定距離の被写体が合焦となる位置に焦点調節レンズ２０３を駆動するプリセットフォーカスモード時における、プリセット動作モード表示領域２０６ａｐとプリセット値表示領域２０６ｂｐの表示例である。タッチパネル表示４ｂは、予め設定された所定焦点距離となる位置にズームレンズ２０４を駆動するプリセットズームモード時の、プリセット動作モード表示領域２０６ａｐとプリセット値表示領域２０６ｂｐの表示例である。タッチパネル表示４ｃは、絞り開口が予め設定された所定絞り値となるように絞り２０５を駆動するプリセット絞りモード時の、プリセット動作モード表示領域２０６ａｐとプリセット値表示領域２０６ｂｐの表示例である。図５は、本発明の実施の形態１に係る交換レンズのタッチパネルでのプリセット値の選択状態表示の一例を示す図である。タッチパネル表示５ａは、プリセット値表示領域２０６ｂｐでのプリセット値の選択状態表示を反転表示２１７で行う場合の表示例である。タッチパネル表示５ｂは、プリセット値表示領域２０６ｂｐでのプリセット値の選択状態表示を選択枠２１６の表示で行う場合の表示例である。タッチパネル表示５ｃは、プリセット値表示領域２０６ｂｐでのプリセット値の選択状態表示を点滅表示２１８で行う場合の表示例である。
【００１９】
図６は、本発明の実施の形態１に係る交換レンズのタッチパネルのタッチ位置検出領域と指標設置位置との位置関係と指標タイプの一例を示す図である。この図６において、設定・動作操作用タッチ位置検出領域２０８ａ〜２０８ｄは、タッチパネル２０６の設定値表示領域２０６ｂ内の各表示位置に対応する。動作モード選択用タッチ位置検出領域２０８ｅは、タッチパネル２０６の動作モード表示領域２０６ａ内の動作モード表示位置に対応する。そして、位置関係６ａは、タッチパネル２０６のタッチ位置検出領域（この場合、設定・動作操作用タッチ位置検出領域２０８ａ〜設定・動作操作用タッチ位置検出領域２０８ｄおよび動作モード選択用タッチ位置検出領域２０８ｅ）と半球突起タイプの指標２０７の設置位置との位置関係の一例を示している。半球突起形指標２０７ａ〜２０７ｄの指標位置は、設定値表示領域内の設定・動作操作用タッチ位置検出領域２０８ａ〜２０８ｄの各々に対応する。半球突起形指標２０７ｅの指標位置は、動作モード選択用タッチ位置検出領域２０８ｅに対応する。指標２０７としては、半球形状以外にも様々な形状が考えられる。例えば、指標６ｂは、矩形突起タイプの指標例である。この場合、指標２０７は、設定値表示領域内の設定・動作操作用タッチ位置検出領域２０８ａ〜２０８ｄの各々に対応した、矩形突起形指標２０７ａ１〜２０７ｄ１からなる。また、矩形突起形指標２０７ｅ１の指標位置は、動作モード選択用タッチ位置検出領域２０８ｅに対応する。
【００２０】
また、指標６ｃは、凹凸面と光沢面を交互配置したタイプの指標例である。凹凸面２０７ａ２、光沢面２０７ｂ２、凹凸面２０７ｃ２、光沢面２０７ｄ２は、設定値表示領域内の設定・動作操作用タッチ位置検出領域２０８ａ〜２０８ｄの各々に対応し、凹凸面２０７ｅ２は動作モード選択用タッチ位置検出領域２０８ｅに対応している。指標６ｄは、タッチパネル２０６の設定値表示領域に対応する位置の指標を半球突起タイプ、動作モード表示領域に対応する位置の指標を矩形突起タイプとした場合の指標例である。すなわち、位置関係６ａに例示した指標２０７において、半球突起形指標２０７ｅの代わりに、矩形突起形指標２０７ｅ１とした例である。指標６ｅは、点字タイプの指標例である。すなわち、点字２０７ａ３、点字２０７ｂ３、点字２０７ｃ３、点字２０７ｄ３は、設定値表示領域内の設定・動作操作用タッチ位置検出領域２０８ａ〜２０８ｄの各々に対応し、点字２０７ｅ３は動作モード選択用タッチ位置検出領域２０８ｅに対応している。
【００２１】
図７Ａは、本発明の実施の形態１に係る交換レンズのタッチパネルの変形例を示す正面図、図７Ｂは、線Ａ−Ａの部分の断面図である。この図７Ａおよび図７Ｂでは、設定・動作操作用タッチ位置検出領域２０８ａ〜設定・動作操作用タッチ位置検出領域２０８ｄと、動作モード選択用タッチ位置検出領域２０８ｅの各々の境界部に、仕切り２０６ｃが形成された例が示されている。図８は、本発明の実施の形態１に係るカメラ本体の背面モニタ上でのプリセット設定表示の一例を示す図である。カメラ本体１０１の背面側には、背面モニタ１０５、広角ズーム釦１１１、望遠ズーム釦１１２、選択ダイアル１１３、動画釦１１０、上釦１１４ａ、下釦１１４ｂ、左釦１１４ｃ、右釦１１４ｄ、決定釦１１５が配置されている。動画釦１１０は、動画撮影の開始／終了操作を行う。広角ズーム釦１１１は、カメラ本体１０１に電動ズームレンズが装着された場合に広角側にズーム駆動を行い、望遠ズーム釦１１２は望遠側にズーム駆動を行う。選択ダイアル１１３は、シャッタ速度や絞り値等の撮影パラメータやＡＦエリア等の選択を行う。上釦１１４ａ、下釦１１４ｂ、左釦１１４ｃ、右釦１１４ｄは、シャッタ速度や絞り値等の撮影パラメータやＡＦエリア等の選択を行う。決定釦１１５は、選択ダイアル１１３や上釦１１４ａ〜右釦１１４ｄで選択された撮影パラメータ等を決定する。背面モニタ１０５の左上には、動作モード表示１１６、設定値表示１１７が配置されている。動作モード表示１１６は、交換レンズのタッチパネル２０６の操作で実行される動作を示す。設定値表示１１７は、交換レンズのタッチパネル２０６の操作で選択可能な設定を示す。図８の例では、動作モード表示１１６にはプリセット動作モード表示１１６ｐが設定され、設定値表示１１７にはプリセット値表示１１７ｐが設定されている。
【００２２】
図９は、本発明の実施の形態１に係るカメラ本体の背面モニタでのプリセット値の選択状態表示の一例を示す図である。選択状態表示９ａは、カメラ本体１０１の背面モニタ１０５でのプリセット値の選択状態表示を反転表示２１７で行う例である。選択状態表示９ｂは、カメラ本体１０１の背面モニタ１０５でのプリセット値の選択状態表示を選択枠２１６の表示で行う例である。選択状態表示９ｃは、カメラ本体１０１の背面モニタ１０５でのプリセット値の選択状態表示を点滅表示２１８で行う例である。
表示・操作例を以下に示す。タッチパネル２０６での操作が有効状態である場合は、図４に示すようにタッチパネル２０６の動作モード表示領域２０６ａには選択されたプリセット動作モード、設定値表示領域２０６ｂには選択されたモードに応じた選択可能なプリセット値が各タッチ位置検出領域２０８ａ〜２０８ｅと対応する位置に表示されると共に、カメラ本体１０１の背面モニタ１０５や電子ビューファインダ（以下、ＥＶＦと称する）にも、図８に示すようなタッチパネル２０６での表示と同じプリセット動作モード表示１１６ｐとプリセット値表示１１７ｐが表示され、撮影者はタッチパネル２０６の設定値表示領域２０６ｂに表示されたプリセット値表示部分を指で触れることによりプリセットフォーカス等の動作モードに応じたプリセット操作を行うことができる。撮影者によるタッチ操作が行われた場合、タッチされた部分のタッチパネル２０６の表示が、図５のタッチパネル表示５ａ〜５ｃに示すような反転表示、選択枠表示、点滅表示等となると共に、カメラ本体１０１の背面モニタ１０５や不図示のＥＶＦの表示も、図９の選択状態表示９ａ〜９ｃに示すようなタッチパネル２０６の表示と同様な反転表示、選択枠表示、点滅表示等となり、タッチ操作が受け付けられたことを示す。
【００２３】
図１０は、本発明の実施の形態１に係る交換レンズのタッチパネル操作で、プリセット動作モード、プリセット値を変更する場合の表示変更順の一例を示す図である。表示変更順１０ａは、プリセット動作モード表示変更順の例である。表示変更順１０ｂは、プリセット値表示変更順の例である。プリセット動作モードの変更は、撮影者がタッチパネル２０６のプリセット動作モード表示領域２０６ａｐの部分を指で触れることで行うことができ、表示部分へのタッチ操作を行う毎にタッチパネル２０６、および、カメラ本体１０１の背面モニタ１０５や図示しないＥＶＦのプリセット動作モード表示が、図１０の表示変更順１０ａに示すように切り換って動作モードが変更される。また、プリセット値表示領域２０６ｂｐの部分を指で長押しするとプリセット値変更モードに移行し、長押しされた部分の表示が点滅表示２１８等に切り換る。この状態で一旦指を離してタッチ操作を行うと、操作を行う毎にタッチパネル２０６、および、カメラ本体１０１の背面モニタ１０５や図示しないＥＶＦの該当部分のプリセット値表示が、表示変更順１０ｂに示すように切り換ってプリセット値が変更され、再度長押しを行うと選択したプリセット値が確定して表示がもとの状態に戻る。プリセット値の変更は、上記以外の方法、例えば、プリセットズームモードで６０ｍｍの焦点距離をプリセット値として設定した場合、ズーム位置を手動で６０ｍｍの位置にセットした状態で、タッチパネル２０６の設定したいプリセット値の表示部分（プリセット値表示領域２０６ｂｐ）を長押しすることで設定するような方法で行ってもよい。
【００２４】
図１１および図１２のフローチャート等を参照して、本実施の形態のカメラシステム１００における交換レンズ２０１のタッチパネル２０６の操作例について説明する。図１１は、本発明に係る交換レンズを装着したカメラの撮影動作の一例を説明するためのフローチャートである。ステップＳ１０１では、カメラ本体１０１の電源がオンされると、カメラ本体ＣＰＵ１２１は交換レンズ２０１が装着されているか否かを、操作スイッチ検出回路１２９で図示しないマウントスイッチ状態を検出することにより判断し、未装着の場合は装着されるまで定期的な装着検出を行う等の待機動作を行う。待機中に撮影者により撮影パラメータの変更操作や過去に撮影した画像の再生操作等が行われた場合は、指示された動作を実行する。ステップＳ１０２では、交換レンズ２０１がカメラ本体１０１に装着されると、レンズＣＰＵ２２１は交換レンズ２０１内の初期化処理を行うと共に、タッチパネル２０６での操作受付を無効に設定する。タッチパネル２０６の操作無効設定はステップＳ１０３のレンズ通信時にカメラ本体１０１側からの指示で行ってもよい。
【００２５】
ステップＳ１０３では、交換レンズ２０１の装着が確認されるとカメラ本体ＣＰＵ１２１はカメラ本体通信回路１３１、レンズ通信回路２２９を介してレンズＣＰＵ２２１と通信を行い、焦点調節レンズ２０３等の動作パラメータ、色収差データ等の光学データ、プリセット動作対応データなどのレンズデータ（撮影制御情報）を取得してメモリ１２３に記憶する。ここで、プリセット動作対応データとは、フォーカスプリセット動作等のプリセット動作可能なモード、プリセット動作可能な各モードの初期プリセット値、プリセット値設定可能範囲や分解能などのデータで構成され、カメラ本体ＣＰＵ１２１はこれらのデータに基づいてプリセットモード時に背面モニタ１０５や不図示のＥＶＦに、上述の図４や図５のプリセット設定表示を行う。又、この時点でプリセット動作対応データに基づいて、選択可能なプリセット動作モード、各モードの初期プリセット値、選択可能なプリセット値等をカメラ本体１０１側で決定し、カメラ本体ＣＰＵ１２１からカメラ本体通信回路１３１、レンズ通信回路２２９を介してレンズＣＰＵ２２１に指示してもよい。
【００２６】
ステップＳ１０４では、ステップＳ１０２のようなレンズデータの取得や初期設定等を実行後、カメラ本体ＣＰＵ１２１はレンズＣＰＵ２２１とカメラ本体通信回路１３１、レンズ通信回路２２９を介して同期通信を開始して同期通信モードに移行し、以後、同期周期毎にレンズ状態データ２３１（撮影制御情報）を取得してレンズ状態に応じた制御動作を実行する。例えば、カメラ本体ＣＰＵ１２１はプリセットモード時に同期通信で取得したレンズ状態データ２３１から交換レンズ２０１のタッチパネル２０６の操作状態を検知し、操作状態に応じて背面モニタ１０５や不図示のＥＶＦにプリセット設定表示を行う。
ステップＳ１０５では、カメラ本体ＣＰＵ１２１は撮像素子制御回路１２４により撮像素子１０３を同期周期毎に動作させて画像データを取得し、画像処理回路１２７でスルー画表示用の画像処理を施して、表示回路１２８により背面モニタ１０５にスルー画の表示を開始する。ステップＳ１０６では、カメラ本体ＣＰＵ１２１は同期通信で取得したレンズ状態データ２３１の確認、操作スイッチ検出回路１２９での不図示のマウントスイッチ状態検出により、交換レンズ２０１が装着されているかどうかの検出を行い、装着されている場合にはステップＳ１０７に進み、取り外された場合にはステップＳ１０１に戻る。
【００２７】
ステップＳ１０７では、カメラ本体１０１の電源がオンされているかどうかを確認し、オンされている場合にはステップＳ１０８に進み、オフされた場合にはステップＳ１１７に進む。ステップＳ１０８では、レンズＣＰＵ２２１はタッチパネル２０６の有効／無効状態、および、撮影者によるタッチ操作検出結果に応じて動作処理や動作設定処理を行う。
カメラ本体ＣＰＵ１２１は同期通信で取得されるレンズ状態データ２３１からタッチ操作状態を検出し、検出結果に応じて背面モニタ１０５や図示しないＥＶＦに操作状態等の表示を行う。動作処理や動作設定処理の詳細については、後述の図１２で説明する。
ステップＳ１０９では、動画釦１１０が操作されて図示しない動画スイッチがオン状態になったことが操作スイッチ検出回路１２９で検出された場合にはステップＳ１１８に進み、オフ状態である場合にはステップＳ１１０に進む。ステップＳ１１０では、１Ｒスイッチ１３２がオン状態になったことが操作スイッチ検出回路１２９で検出された場合にはステップＳ１１１に進み、オフ状態である場合にはステップＳ１０６に戻る。
【００２８】
ステップＳ１１１では、カメラ本体ＣＰＵ１２１はレンズＣＰＵ２２１と通信を行い静止画撮影用のＡＦを実行する。静止画撮影用のＡＦは撮影画像から抽出した高周波成分（以下、ＡＦ評価値と称する）が最も大きくなる位置を合焦位置とする、所謂山登りＡＦ動作、あるいは、撮像素子１０３上に設けられた交換レンズ２０１の異なる瞳位置を通過する被写体光束を受光する複数対のＡＦ用画素出力の位相ずれから求めたデフォーカス量に応じて焦点調節レンズ２０３を駆動制御する位相差ＡＦ動作を行う。また、ＡＦ動作と並行して測光、露出演算等の撮影に必要な他の動作も実行される。ステップＳ１１２では、１Ｒスイッチ１３２がオン状態か否かを操作スイッチ検出回路１２９により確認し、オン状態の場合にはステップＳ１１３に進み、オフ状態の場合にはステップＳ１１６に進む。ステップＳ１１３では、２Ｒスイッチ１３３がオン状態になったことが操作スイッチ検出回路１２９で検出された場合にはステップＳ１１４に進み、オフ状態である場合にはステップＳ１１２に戻る。ステップＳ１１４では、ステップＳ１１１での露出演算結果に基づいて、カメラ本体ＣＰＵ１２１はレンズＣＰＵ２２１と通信を行い、絞り２０５の絞り込み動作を指示し、絞り込み動作完了後に撮像素子制御回路１２４、シャッタ制御回路１２６により撮像素子１０３、フォーカルプレンシャッタ１０４を制御して撮像を行い、撮像素子１０３から出力される撮像信号を画像処理回路１２７で画像データに変換する。
【００２９】
ステップＳ１１５では、カメラ本体ＣＰＵ１２１はステップＳ１１４で取得した画像データをメモリ１２３やコンパクトフラッシュ（登録商標）等外部メディアに記憶すると共に、表示回路１２８により背面モニタ１０５に撮影画像を表示する。ステップＳ１１６では、カメラ本体ＣＰＵ１２１は表示回路１２８により合焦表示の初期化や撮影画像表示のクリア等を行い背面モニタ１０５の表示をスルー画表示に戻した後、ステップＳ１０６に戻り撮影待機状態に移行する。ステップＳ１１７では、各種データの退避、リセット動作、電源系統の切断処理等の所定の処理を実行する。ステップＳ１１８では、カメラ本体ＣＰＵ１２１は撮像素子制御回路１２４により撮像素子１０３を同期周期毎に動作させて動画撮影を開始すると共に、撮像素子１０３から出力される撮像信号を画像処理回路１２７で変換した動画データのメモリ１２３やコンパクトフラッシュ等の外部メディアへの記憶を開始する。
【００３０】
ステップＳ１１９では、ステップＳ１０８と同様にレンズＣＰＵ２２１、カメラ本体ＣＰＵ１２１はタッチパネル２０６の有効／無効状態、および、撮影者によるタッチ操作検出結果に応じて動作処理や動作設定処理、操作状態等の表示を行う。動作処理や動作設定処理の詳細については後述の図１２で説明する。ステップＳ１２０では、動画釦１１０が操作されて不図示の動画スイッチがオフ状態になったことが操作スイッチ検出回路１２９で検出された場合にはステップＳ１２１に進み、オン状態である場合にはステップＳ１１９に戻る。ステップＳ１２１では、カメラ本体ＣＰＵ１２１は撮像素子制御回路１２４により撮像素子１０３の動作を停止させて動画撮影を終了し、ステップＳ１１６に移行する。
【００３１】
図１２は、本発明の実施の形態１に係る交換レンズのプリセット動作関連処理の一例を説明するためのフローチャートである。ステップＳ１３１では、交換レンズ２０１のタッチパネル２０６での操作受付状態が有効であるか否かを判断し、有効の場合はステップＳ１３２に進み、無効の場合にはステップＳ１５７に進む。ステップＳ１３２では、レンズＣＰＵ２２１はパネル制御回路２２８で動作モード選択用タッチ位置検出領域２０８ｅに指が接触していることが検出されているかどうかを判断し、検出されていない場合にはステップＳ１３３に進み、検出されている場合にはステップＳ１５２に進む。タッチパネル２０６における指の接触、および、接触領域の検出はパネル制御回路２２８により所定時間間隔、例えば、１０ミリ秒（ｍｓ）間隔で実行され、パネル制御回路２２８内の接触検出レジスタ等の状態が更新される。ステップＳ１３３では、レンズＣＰＵ２２１はパネル制御回路２２８で設定・動作操作用タッチ位置検出領域２０８ａ〜２０８ｄに指が接触していることが検出されているかどうかを判断し、検出されている場合にはステップＳ１３４に進み、検出されていない場合にはリターンする。接触状態検出方法は、ステップＳ１３２と同様である。ステップＳ１３４では、レンズＣＰＵ２２１は設定・動作操作用タッチ位置検出領域２０８ａ〜２０８ｄの中でパネル制御回路２２８により指の接触が検出された領域に対応する位置のタッチパネル２０６のプリセット値表示を選択表示に変更する。
【００３２】
例えば、上述の図５のタッチパネル表示５ａ〜５ｃに示すように、設定値表示領域２０６ｂに表示されているプリセット値の接触検出された位置に対応する表示を反転表示２１７、選択枠２１６の表示、点滅表示２１８等に変更する。また、カメラ本体ＣＰＵ１２１は同期通信で取得したレンズ状態データ２３１から接触検出された領域を検知し、表示回路１２８により図８に示すような形で背面モニタ１０５や不図示のＥＶＦ上に表示されている設定値表示１１７の中の検知位置に対応するプリセット値表示を変更する。例えば、図９の選択状態表示９ａ〜９ｃに示すように設定値表示１１７の中の検知位置に対応するプリセット値表示を反転表示２１７、選択枠２１６の表示、点滅表示２１８等に変更する。この例の場合は、プリセットフォーカスモード時に設定・動作操作用タッチ位置検出領域２０８ｂ（３メートル（ｍ））の部分をタッチされた場合の表示を示している。ステップＳ１３５では、レンズＣＰＵ２２１は長押し検出用のタイマをスタートさせる。このタイマは設定値変更モードへの移行を判断するために、タッチパネル２０６に指が連続で接触している時間を計時する。ステップＳ１３６では、レンズＣＰＵ２２１は指の接触位置が設定・動作操作用タッチ位置検出領域２０８ａ〜２０８ｄの中で変化したか否かを判断し、変化している場合はステップＳ１３７に進み、変化ない場合はステップＳ１３９に進む。接触位置の検出方法は、ステップＳ１３２と同様である。ステップＳ１３７では、レンズＣＰＵ２２１はパネル制御回路２２８で検出された最新の領域に基づいて、指の接触位置対応表示を変更する。表示方法はステップＳ１３４と同様である。ステップＳ１３８では、レンズＣＰＵ２２１はプリセット値変更モード移行判断用として長押し検出用のタイマを再スタートさせる。
【００３３】
ステップＳ１３９では、レンズＣＰＵ２２１はパネル制御回路２２８で設定・動作操作用タッチ位置検出領域２０８ａ〜２０８ｄから指が離れたことが検出されたかどうかを判断し、検出された場合にはステップＳ１４０に進み、検出されていない場合はステップＳ１４１に進む。接触状態検出方法は、ステップＳ１３２と同様である。ステップＳ１４０では、レンズＣＰＵ２２１は設定されているプリセット動作モードと、設定・動作操作用タッチ位置検出領域２０８ａ〜２０８ｄから指が離れる直前に接触検出されていた領域のプリセット値に応じてプリセット動作を実行する。例えば、プリセット動作モードがプリセットフォーカスモードの場合は、焦点調節レンズ駆動回路２２２、焦点調節レンズ位置検出回路２２３により、焦点調節レンズ２０３を選択された距離に対応するプリセット位置へ駆動する。プリセットズームモードの場合は、ズームレンズ駆動回路２２４、ズーム位置検出回路２２５により、ズームレンズ２０４を選択された焦点距離に対応するプリセット位置へ駆動する。また、プリセット絞りモードの場合は、絞り駆動回路２２６により絞り２０５を選択されたＦ値に対応するプリセット位置へ駆動する。
【００３４】
ステップＳ１４１では、レンズＣＰＵ２２１は長押し検出用のタイマの計時が所定時間、例えば２秒間以上経過したかどうかを判断し、経過していればステップＳ１４２に進んで設定値変更モードに移行し、未経過であればステップＳ１３６に戻る。ステップＳ１４２では、レンズＣＰＵ２２１は設定・動作操作用タッチ位置検出領域２０８ａ〜２０８ｄの中でパネル制御回路２２８により指の接触が検出されている領域に対応する位置のタッチパネル２０６の設定値表示を選択表示から設定変更表示に変更する。例えば、プリセット値表示領域２０６ｂｐ内の選択されたプリセット値表示が、図５のタッチパネル表示５ａに示すような反転表示２１７で選択表示されていた場合、この表示を図５のタッチパネル表示５ｂ、タッチパネル表示５ｃに示すような選択枠２１６の表示や点滅表示２１８に変更する。また、カメラ本体ＣＰＵ１２１は同期通信で取得したレンズ状態データ２３１から長押し検出された領域を検知し、図８に示すような形で背面モニタ１０５や図示しないＥＶＦ上に表示されている設定値表示１１７の中の検知位置に対応するプリセット値表示を選択表示から設定変更表示に変更する。例えば、図９の選択状態表示９ａに示すように設定値表示１１７の中の検知位置に対応するプリセット値表示が反転表示２１７で選択表示されていた場合、この表示を図９の選択状態表示９ｂ、選択状態表示９ｃに示すような選択枠２１６の表示や点滅表示２１８に変更する。
【００３５】
ステップＳ１４３では、レンズＣＰＵ２２１は変更操作待機時間検出用のタイマをスタートさせる。このタイマは設定値の変更操作の未実行を判断するために、タッチパネル２０６に対する指の非接触時間を計時するものである。ステップＳ１４４では、レンズＣＰＵ２２１は変更操作待機時間検出用のタイマの計時が所定時間、例えば１０秒間以上経過したか否かを判断し、経過していればステップＳ１５１に進み、未経過であればステップＳ１４５に進む。ステップＳ１４５では、レンズＣＰＵ２２１はパネル制御回路２２８で設定・動作操作用タッチ位置検出領域２０８ａ〜２０８ｄの中の設定値変更対象領域に指が接触していることが検出されたか否かを判断し、検出の場合にはステップＳ１４６に進み、検出なしの場合はステップＳ１４４に戻る。ステップＳ１４６では、レンズＣＰＵ２２１は変更後設定値確定判断用として長押し検出用のタイマを再スタートさせる。ステップＳ１４７では、レンズＣＰＵ２２１はパネル制御回路２２８で設定・動作操作用タッチ位置検出領域２０８ａ〜２０８ｄの中の設定値変更対象領域から指が離れたことが検出されたか否かを判断し、検出の場合にはステップＳ１４８に進み、検出なしの場合はステップＳ１５０に進む。接触状態検出方法は、ステップＳ１３２と同様である。ステップＳ１４８では、レンズＣＰＵ２２１は設定・動作操作用タッチ位置検出領域２０８ａ〜２０８ｄの中の設定値変更対象領域の設定値を変更する。設定値の変更は、例えば図１０の表示変更順１０ｂに示すように、予め用意された設定値と設定順に従ってレンズＣＰＵ２２１内部のプリセット値設定用のレジスタ値等が変更される。また、パネル制御回路２２８や表示回路１２８により、タッチパネル２０６の設定値表示領域２０６ｂ、背面モニタ１０５や不図示のＥＶＦの設定値表示１１７の中の変更対象プリセット値表示も変更される。
【００３６】
ステップＳ１４９では、レンズＣＰＵ２２１はタッチパネル２０６の指の非接触時間判断用として長押し検出用のタイマを再スタートさせてステップＳ１４５に戻る。ステップＳ１５０では、レンズＣＰＵ２２１は長押し検出用のタイマの計時が所定時間、例えば２秒間以上経過したかどうかを判断し、経過していればステップＳ１５１に進み、未経過であればステップＳ１４７に戻る。ステップＳ１５１では、レンズＣＰＵ２２１はパネル制御回路２２８によりタッチパネル２０６の表示を、通常の設定・動作操作受付状態に戻して設定値変更モードを終了する。この際、カメラ本体ＣＰＵ１２１は同期通信で取得したレンズ状態データ２３１から設定値変更モードの終了を検知し、表示回路１２８により背面モニタ１０５や不図示のＥＶＦの表示を通常の設定・動作操作受付状態に戻す。
【００３７】
ステップＳ１５２では、レンズＣＰＵ２２１は長押し検出用のタイマをスタートさせる。このタイマはタッチパネル２０６の操作受付状態の無効状態への移行を判断するために、タッチパネル２０６に指が連続で接触している時間を計時する。ステップＳ１５３では、レンズＣＰＵ２２１はパネル制御回路２２８で動作モード選択用タッチ位置検出領域２０８ｅから指が離れたことが検出されたか否かを判断し、検出された場合にはステップＳ１５４に進み、検出なしの場合にはステップＳ１５５に進む。ステップＳ１５４では、レンズＣＰＵ２２１は動作モードを変更する。動作モードの変更は、例えば図１０の表示変更順１０ａに示すように、予め用意された動作モードと設定順に従ってレンズＣＰＵ２２１内部の動作モード設定用のレジスタ値等が変更される。又、パネル制御回路２２８や表示回路１２８により、タッチパネル２０６のプリセット動作モード表示領域２０６ａｐ、背面モニタ１０５や不図示のＥＶＦの動作モード表示１１６の表示も変更される。
【００３８】
ステップＳ１５５では、レンズＣＰＵ２２１は長押し検出用のタイマの計時が所定時間、例えば２秒間以上経過したかどうかを判断し、経過していればステップＳ１５６に進み、未経過であればステップＳ１５３に戻る。ステップＳ１５６では、レンズＣＰＵ２２１はタッチパネル２０６の操作受付状態を無効状態に設定し、パネル制御回路２２８によりタッチパネル２０６の表示を非表示状態にする。また、カメラ本体ＣＰＵ１２１は同期通信で取得したレンズ状態データ２３１から２０６の操作受付無効状態を検知し、背面モニタ１０５や不図示のＥＶＦ上に表示されている動作モード表示１１６、設定値表示１１７を非表示状態にする。ステップＳ１５７では、レンズＣＰＵ２２１はパネル制御回路２２８でタッチパネル２０６の動作モード選択用タッチ位置検出領域２０８ｅに指が接触していることが検出されているか否かを判断し、検出ありの場合はステップＳ１５８に進み、検出なしの場合はリターンする。
【００３９】
ステップＳ１５８では、レンズＣＰＵ２２１は長押し検出用タイマをスタートさせる。このタイマはタッチパネル２０６の操作受付状態の有効状態への移行を判断するために、タッチパネル２０６に指が連続で接触している時間を計時するものである。ステップＳ１５９では、レンズＣＰＵ２２１はパネル制御回路２２８で動作モード選択用タッチ位置検出領域２０８ｅから指が離れたことが検出されたか否かを判断し、検出ありの場合はリターンし、検出なしの場合はステップＳ１６０に進む。ステップＳ１６０では、レンズＣＰＵ２２１は長押し検出用のタイマの計時が所定時間、例えば２秒間以上経過したか否かを判断し、経過していればステップＳ１６１に進み、未経過であればステップＳ１５９に戻る。ステップＳ１６１では、レンズＣＰＵ２２１はタッチパネル２０６の操作受付状態を有効状態に設定し、パネル制御回路２２８によりタッチパネル２０６の表示を表示状態にする。また、カメラ本体ＣＰＵ１２１は同期通信で取得したレンズ状態データ２３１からタッチパネル２０６の操作受付有効状態を検知し、背面モニタ１０５や不図示のＥＶＦ上に表示されていない動作モード表示１１６、設定値表示１１７を表示状態にする。
【００４０】
以上で説明したように実施の形態１によれば、交換レンズ２０１に設けられたタッチパネル２０６に対する必要最小限の指の接触動作、かつ、ワンタッチで、各種の撮影条件のプリセット操作を行うことができるので、撮影時の操作性が良い交換レンズ２０１、および、カメラシステム１００を提供することができる。また、タッチパネル２０６に対する接触操作に際しては、タッチパネル２０６に対して所定の位置関係で設けられた指標２０７によりタッチパネル２０６における接触位置を確認できるので、タッチパネル２０６を視認することなく的確に操作することができる。また、右手でカメラ本体１０１をグリップし、左手で交換レンズ２０１を下から支えた状態で、タッチパネル２０６に対する左手親指のみのタッチ操作によりプリセット操作を行えるため、不要な操作音が発生せず、カメラシステム１００を確実にホールドした状態で操作を行うことができるので、動画撮影時にプリセット操作を行う場合でも映像の品位を損なうことなく撮影を行うことができる。
【００４１】
以下に変形例について説明する。上記説明ではプリセット操作部にモニタ表示付のタッチパネル２０６を使用しているが、表示機能のない、例えば、タッチパッドのような操作部材を用いて、動作モードや設定値等の表示はカメラ本体１０１の背面モニタ１０５や不図示のＥＶＦ等にのみ表示してもよい。また、タッチパネル２０６における操作の有効／無効設定、動作モード変更や設定値変更を、タッチパネル２０６のタッチ操作で行っているが、釦やダイアル等の別部材を用いて行ってもよい。更に、タッチパネル２０６の位置検出方向は交換レンズ２０１の光軸方向（鏡胴２０１ａの軸方向）と平行な方向に限定されるものではなく、タッチパネル２０６の長辺方向が光軸と垂直方向となるように配置し、垂直方向の位置検出で操作を行ってもよい。また、ＡＦ・測光モードやシャッタ速度、ＩＳＯ感度、ストロボモード等のカメラ本体の撮影、動作モードに関する設定の変更操作を、交換レンズ２０１のタッチパネル２０６のタッチ操作で行うようにしてもよい。
【００４２】
（実施の形態２）
本実施の形態２は交換レンズ２０１のタッチパネル２０６の操作において、二次元で指の接触位置を検出して、垂直方向（鏡胴２０１ａの周方向）のタッチ位置で動作モード、水平方向（鏡胴２０１ａの光軸方向）のタッチ位置で設定値を順次に選択してレンズ操作を行うようにしたものである。本実施の形態２に係る交換レンズ２０１、および、カメラ本体１０１の基本的な構成や撮影動作等は上述の図２および図３等に例示される実施の形態１と同様である。図１３は、本発明の実施の形態２に係る交換レンズのタッチパネルのタッチ位置検出領域と表示の一例を示す図である。タッチ位置検出領域３３ａは指が未接触時の例、タッチ位置検出３３ｂは動作モード選択時の例、タッチ位置検出３３ｃは動作設定値選択時の例である。タッチパネル表示３３ｄは指が未接触状態から最初に接触を検出した時点の表示例、タッチパネル表示３３ｅは動作モード選択時の表示例、タッチパネル表示３３ｆは動作設定値選択時の表示例である。タッチパネル操作表示３３ｇは指が未接触状態から最初に接触を検出した時点のカメラ本体１０１の背面モニタ１０５上での表示例、タッチパネル操作表示３３ｈは動作モード選択時のカメラ本体１０１の背面モニタ１０５上での表示例、タッチパネル操作表示３３ｉは、動作設定値選択時のカメラ本体１０１の背面モニタ１０５上での表示例である。タッチパネル操作表示３３ｇ〜３３ｉにおいて、選択枠１２０は、カメラ本体１０１の背面モニタ１０５上でのタッチパネル操作表示の動作設定値の選択に用いられる。
【００４３】
タッチパネル２０６の動作モード表示領域２０６ａ、設定値表示領域２０６ｂについては、上述の図４の説明を参照。タッチ位置検出領域３３ａ〜３３ｃにおいて、接触検出位置２１３ａは、撮影者の指が未接触状態から最初に接触検出されたタッチ位置を示している。同様に、接触検出位置２１３ｂは、動作モード選択時のタッチ位置を示している。同様に、接触検出位置２１３ｃは、動作設定値選択時のタッチ位置を示している。動作モード選択用分割領域２１４ａ〜２１４ｃは、動作モード選択操作を行う。動作設定値選択用分割領域２１５ａ〜２１５ｅは、動作設定値選択操作を行う。タッチパネル表示３３ｄ〜３３ｆにおける選択枠２１６は、タッチパネル２０６上の動作設定値の選択位置を示す。タッチパネル２０６での操作が有効状態である場合は、タッチパネル表示３３ｄ〜３３ｆに示すようなタッチパネル２０６の動作モード表示領域２０６ａには選択可能な動作モード、設定値表示領域２０６ｂには動作モードに応じた選択可能なプリセット値が、タッチ位置検出領域３３ａに示す動作モード選択用分割領域２１４ａ〜２１４ｃと動作設定値選択用分割領域２１５ａ〜２１５ｅで設定されるタッチ位置検出領域と対応する位置に表示され、タッチ操作により選択された動作モードやプリセット値の部分は反転表示や選択枠２１６の表示が行われる。
【００４４】
また、カメラ本体１０１の背面モニタ１０５にも、図１３のタッチパネル操作表示３３ｇ〜３３ｉに示すタッチパネル２０６で選択されているモードと同じ動作モード表示１１６と選択モードに応じたプリセット値表示１１７ｐが表示され、選択されたプリセット値の部分には選択枠１２０が表示される。撮影者はタッチパネル２０６上でタッチ、スライド、長押し等の操作を行うことにより、動作モードやプリセット値の選択操作、プリセット動作の実行操作等を行うことができる。例えば、タッチ操作が行われて図１３のタッチ位置検出領域３３ａに示す接触検出位置２１３ａが検出された場合、タッチパネル表示３３ｄに示すように接触検出位置２１３ａに対応するタッチパネル２０６のプリセットズームモード表示“ＰＺ”が反転表示に切換わり、プリセット値“３０ｍｍ”の部分に選択枠２１６が表示されると共に、タッチパネル操作表示３３ｇに示す背面モニタ１０５の動作モード表示１１６にプリセットズームモード表示“ＰＺ”が表示され、プリセット値表示１１７ｐ“３０ｍｍ”の部分に選択枠１２０が表示される。
【００４５】
また、図１３のタッチ位置検出３３ｂに示す動作設定値選択用分割領域２１５ａ〜２１５ｅによるタッチ位置検出領域設定は解除され、接触検出位置２１３ａを基準とした動作モード選択用分割領域２１４ａ〜２１４ｃの領域幅を未操作時よりも狭めた動作モード選択用のタッチ位置検出領域が設定される。次に、撮影者がタッチパネル２０６に指を接触させたまま上下方向にスライドさせて図１３のタッチ位置検出３３ｂに示す接触検出位置２１３ｂに接触位置を移動させると、タッチパネル表示３３ｅに示す接触検出位置２１３ｂに対応するタッチパネル２０６のプリセットフォーカスモード表示“ＰＦ”が反転表示に切換わり、選択枠２１６は接触検出位置２１３ｂの左右方向の位置に係らず上方向に移動してプリセット値“３ｍ”の部分に表示されると共に、タッチパネル操作表示３３ｈに示すように背面モニタ１０５の動作モード表示１１６がプリセットフォーカスモード表示“ＰＦ”に切換わり、プリセット値表示１１７ｐの選択枠１２０の表示位置はそのままでプリセット値がプリセットフォーカスモードの値に変更される。
【００４６】
この状態でスライド操作を停止させてタッチパネル２０６への指の接触状態を所定時間保持すると、動作モードがプリセットフォーカスモードに確定し、タッチ位置検出３３ｃに示すように動作モード選択用分割領域２１４ａ〜２１４ｃによるタッチ位置検出領域設定は解除され、接触検出位置２１３ｂを基準とした動作設定値選択用分割領域２１５ａ〜２１５ｄの領域幅を未操作時よりも狭めた動作設定値選択用のタッチ位置検出領域が設定される。更に、タッチパネル２０６に指を接触させたまま左右方向にスライドさせてタッチ位置検出３３ｃに示す接触検出位置２１３ｃに接触位置を移動させると、タッチパネル表示３３ｆに示すタッチパネル２０６の動作モード表示は接触検出位置２１３ｃの上下方向位置に係らずプリセットフォーカスモード表示“ＰＦ”のまま固定され、選択枠２１６は接触検出位置２１３ｃに対応するプリセット値“∞”の部分に表示されると共に、タッチパネル操作表示３３ｉに示すように背面モニタ１０５の動作モード表示１１６もプリセットフォーカスモード表示“ＰＦ”のまま固定され、プリセット値表示１１７ｐの選択枠１２０の表示位置はプリセット値“∞”の部分に変更される。この状態でタッチパネル２０６から指を離すと、既に確定しているプリセットフォーカスモードでのプリセット値の選択が“∞”位置で確定し、焦点調節レンズ２０３が“∞”位置に駆動される。
【００４７】
図１４のフローチャートを参照して、本実施の形態２におけるタッチパネルの操作を詳細に説明する。図１４は、本発明の実施の形態２に係る交換レンズのプリセット動作関連処理の一例を説明するためのフローチャートである。ステップＳ５３１〜Ｓ５３３では、ステップＳ１３１〜Ｓ１３３と同様の処理のため詳細説明を省略するが、動作モード選択用分割領域２１４ａ〜２１４ｃと動作設定値選択用分割領域２１５ａ〜２１５ｄで定められる動作設定選択用タッチ位置検出領域に、指が接触していることが検出された時はステップＳ５３４に進む。ステップＳ５３４では、レンズＣＰＵ２２１は接触検出前に動作モード選択用分割領域２１４ａ〜２１４ｃと動作設定値選択用分割領域２１５ａ〜２１５ｅにより図１３のタッチ位置検出領域３３ａのように設定されていた動作モード選択用、および、動作設定選択用のタッチ位置検出領域を、タッチ位置検出３３ｂに示すようにステップＳ５３３で検出された最初の接触検出位置２１３ａを基準として、動作モード選択用分割領域２１４ａ〜２１４ｃのみの設定による動作モード選択用タッチ位置検出領域の設定に変更する。この場合の動作モード選択用分割領域２１４ａ〜２１４ｃの各領域の設定幅は、少ない指の動きで動作モード選択を行えるように、未接触時の設定よりも狭い幅、例えば、１／２の幅に設定される。
【００４８】
ステップＳ５３５では、レンズＣＰＵ２２１はパネル制御回路２２８により指の接触が検出された領域に対応する位置のタッチパネル２０６の動作モード表示領域２０６ａの動作モード表示と設定値表示領域２０６ｂのプリセット値表示の選択表示を変更する。また、カメラ本体ＣＰＵ１２１は同期通信で取得したレンズ状態データ２３１から接触検出された領域を検知し、表示回路１２８により背面モニタ１０５上に表示されている動作モード表示１１６を検知領域に対応する表示に切換えると共に、設定値表示１１７の中の検知位置に対応するプリセット値表示の選択表示を変更する。例えば、図１３のタッチ位置検出領域３３ａに示すように接触検出位置が動作モード選択用分割領域２１４ｂと動作設定値選択用分割領域２１５ｂで設定される領域内の接触検出位置２１３ａである場合、タッチパネル表示３３ｄに示すように接触検出位置２１３ａに対応するタッチパネル２０６の動作モード表示領域２０６ａのプリセットズームモード表示“ＰＺ”を選択状態を示す反転表示に変更し、設定値表示領域２０６ｂのプリセット値である“３０ｍｍ”の部分に選択枠２１６を表示する。また、タッチパネル操作表示３３ｇに示すように背面モニタ１０５の動作モード表示１１６にプリセットズームモード表示“ＰＺ”を表示すると共に、設定値表示１１７にプリセットズームモードの設定値を表示して、接触検出位置２１３ａに対応するプリセット値である“３０ｍｍ”の部分に選択枠１２０を表示する。
【００４９】
ステップＳ５３６では、レンズＣＰＵ２２１は長押し検出用のタイマをスタートさせる。ステップＳ５３７では、レンズＣＰＵ２２１はパネル制御回路２２８により、ステップＳ５３４で設定された動作モード選択用タッチ位置検出領域に対して指の接触位置の変化、例えば、図１３のタッチ位置検出３３ｂに示す接触検出位置２１３ａから接触検出位置２１３ｂへのような、元の領域から他の領域への位置変化が発生したか否かを判断し、変化ありの場合はステップＳ５３８に進み、変化ない場合はステップＳ５４０に進む。
ステップＳ５３８では、レンズＣＰＵ２２１はパネル制御回路２２８により接触位置変化後の領域に対応する位置のタッチパネル２０６の動作モード表示領域２０６ａの動作モード表示と設定値表示領域２０６ｂのプリセット値表示の選択表示を変更する。また、カメラ本体ＣＰＵ１２１は同期通信で取得したレンズ状態データ２３１から接触位置変化後の領域を検知し、背面モニタ１０５上に表示されている動作モード表示１１６を検知領域に対応する表示に切換えると共に、設定値表示１１７の中のプリセット値を検知位置に対応する動作モードの設定値に変更する。
【００５０】
例えば、図１３のタッチ位置検出３３ｂに示すように接触検出位置が動作モード選択用分割領域２１４ｂ内の接触検出位置２１３ａから動作モード選択用分割領域２１４ａ内の接触検出位置２１３ｂに変化した場合、タッチパネル表示３３ｅに示すようにプリセットフォーカスモード表示“ＰＦ”を選択状態であることを示す反転表示に変更し、タッチパネル２０６のプリセット値の選択枠２１６の表示は上方向にそのまま移動させ、プリセットフォーカスモードの“３ｍ”の部分に表示する。また、タッチパネル操作表示３３ｈに示すように背面モニタ１０５の動作モード表示１１６の表示をプリセットズームモード表示“ＰＺ”からプリセットフォーカスモード表示“ＰＦ”に切換えると共に、設定値表示１１７の選択枠１２０の位置は変更せずにプリセット値表示のみをプリセットズームモードの設定値からプリセットフォーカスモード設定値に変更する。
【００５１】
ステップＳ５３９では、レンズＣＰＵ２２１は長押し検出用のタイマを再スタートさせる。ステップＳ５４０では、レンズＣＰＵ２２１はパネル制御回路２２８でタッチパネル２０６から指が離れたことが検出されたかどうかを判断し、検出された場合にはリターンし、検出なしの場合はステップＳ５４１に進む。ステップＳ５４１では、レンズＣＰＵ２２１は長押し検出用のタイマの計時が所定時間、例えば２秒間以上経過したかどうかを判断し、経過していればステップＳ５４２に進んで動作設定値選択モードに移行し、未経過であればステップＳ５３７に戻るステップＳ５４２では、レンズＣＰＵ２２１は動作選択モードで動作モード選択用分割領域２１４ａ〜２１４ｃにより図１３のタッチ位置検出３３ｂのように設定されていた動作モード選択用のタッチ位置検出領域を、タッチ位置検出３３ｃに示すようにステップＳ５３７で検出された最新の接触検出位置２１３ｂを基準として、動作設定値選択用分割領域２１５ａ〜２１５ｄのみの設定による動作設定値選択用タッチ位置検出領域の設定に変更する。この場合の動作設定値選択用分割領域２１５ａ〜２１５ｄの各領域の設定幅は、動作モード表示領域２０６ａにタッチする動作選択モード時と同様に少ない指の動きで動作設定値選択を行えるように、未接触時の設定よりも狭い幅、例えば、１／２の幅に設定される。
【００５２】
ステップＳ５４３では、ステップＳ５３８で設定されたタッチパネル２０６と背面モニタ１０５での動作モードとプリセット値の最新の選択表示を継続表示する。ステップＳ５４４では、レンズＣＰＵ２２１は長押し検出用のタイマをスタートさせる。ステップＳ５４５では、レンズＣＰＵ２２１はパネル制御回路２２８により、ステップＳ５３４で設定された動作モード選択用タッチ位置検出領域に対して指の接触位置の変化、例えば、図１３のタッチ位置検出３３ｃに示すように接触検出位置２１３ｂから接触検出位置２１３ｃへのような、元の領域から他の領域への位置変化が発生したかどうかを判断し、変化している場合はステップＳ５４６に進み、変化していない場合はステップＳ５４８に進む。
【００５３】
ステップＳ５４６では、レンズＣＰＵ２２１はパネル制御回路２２８により接触位置変化後の領域に対応する位置のタッチパネル２０６の動作モード表示領域２０６ａの動作モード表示と設定値表示領域２０６ｂのプリセット値表示の選択表示を変更する。また、カメラ本体ＣＰＵ１２１は同期通信で取得したレンズ状態データ２３１から接触位置変化後の領域を検知し、表示回路１２８により背面モニタ１０５上に表示されている動作モード表示１１６を検知領域に対応する表示に切換えると共に、設定値表示１１７の中のプリセット値を検知位置に対応する動作モードの設定値に変更する。例えば、図１３のタッチ位置検出３３ｃ示すように接触検出位置が動作設定値選択用分割領域２１５ｂ内の接触検出位置２１３ｂから動作設定値選択用分割領域２１５ｄ内の接触検出位置２１３ｃに変化した場合、タッチパネル表示３３ｆに示すようにタッチパネル２０６の設定値表示領域２０６ｂの選択枠２１６の表示位置をプリセットフォーカスモードの接触検出位置２１３ｃに対応するプリセット値である“∞”の部分に変更する。また、タッチパネル操作表示３３ｉに示すように背面モニタ１０５の設定値表示１１７の選択枠１２０の表示位置も“∞”の部分に変更する。ステップＳ５４７では、レンズＣＰＵ２２１は長押し検出用のタイマを再スタートさせる。ステップＳ５４８では、レンズＣＰＵ２２１はパネル制御回路２２８でタッチパネル２０６から指が離れたことが検出されたかどうかを判断し、検出された場合にはステップＳ５４９に進み、検出されていない場合はステップＳ５５１に進む。ステップＳ５４９では、レンズＣＰＵ２２１は設定されているプリセット動作モードと、動作設定値選択用分割領域２１５ａ〜２１５ｄから指が離れる直前に接触検出されていた領域のプリセット値に応じてプリセット動作を実行する。例えば、プリセット動作モードがプリセットフォーカスモード“ＰＦ”の場合は、焦点調節レンズ駆動回路２２２により焦点調節レンズ２０３を選択された距離に対応するプリセット位置へ駆動する。
【００５４】
ステップＳ５５０では、レンズＣＰＵ２２１は動作設定値選択モードで動作設定値選択用分割領域２１５ａ〜２１５ｄにより図１３のタッチ位置検出３３ｃのように設定されていた動作設定値選択用のタッチ位置検出領域を、タッチ位置検出領域３３ａに示すように動作モード選択用分割領域２１４ａ〜２１４ｃと動作設定値選択用分割領域２１５ａ〜２１５ｅにより設定される未接触時のタッチ位置検出領域の設定に変更する。ステップＳ５５１では、レンズＣＰＵ２２１は長押し検出用のタイマの計時が所定時間、例えば２秒間以上経過したか否かを判断し、経過していればステップＳ５５２に進んで設定値変更モードに移行し、未経過であればステップＳ５４５に戻る。ステップＳ５５２では、ステップＳ５５０と同様に動作設定値選択用のタッチ位置検出領域を未接触時のタッチ位置検出領域の設定に変更する。ステップＳ５５３〜Ｓ５６２は、ステップＳ１４２〜Ｓ１５１と同様、ステップＳ５６３〜Ｓ５６７は、ステップＳ１５２〜Ｓ１５６と同様、ステップＳ５６８〜Ｓ５７２は、ステップＳ１５７〜Ｓ１６１と同様であり説明を省略する。以上で説明したように実施の形態２によれば、実施の形態１と同様に撮影時に良好なホールド状態を維持したまま、プリセット操作前に実行したい動作モードの選択しておく必要がなく、操作時に複数の動作モードから実行動作モードと動作設定値を順次に選択してレンズ操作を行うことが可能な操作性の良い交換レンズ２０１、および、カメラシステム１００を提供することができる。
【００５５】
（実施の形態３）
本実施の形態３は交換レンズ２０１のタッチパネル操作において、二次元で指の接触位置を検出して垂直方向のタッチ位置で動作モード、水平方向のタッチ位置で設定値を同時に選択してレンズ操作を行うようにしたものである。本実施の形態３に係る交換レンズ２０１、および、カメラ本体１０１の基本的な構成や撮影動作等は、上述の図２および図３等に例示される実施の形態１と同様である。図１５は、本発明の実施の形態８に係る交換レンズのタッチパネルのタッチ位置検出領域と表示の一例を示す図である。タッチ位置検出領域３５ａは指が未接触時の例、タッチ位置検出３５ｂは動作モード、および、動作設定値選択時の例である。タッチパネル表示３５ｃは指が未接触状態から最初に接触を検出した時点の例、タッチパネル表示３５ｄは動作モード、および、動作設定値選択時の例である。タッチパネル操作表示３５ｅは、指が未接触状態から最初に接触を検出した時点の、またタッチパネル操作表示３５ｆは、動作モード、および、動作設定値選択時のカメラ本体１０１の背面モニタ１０５上での表示例である。なお、タッチパネル操作表示３５ｅ、３５ｆにおける動作モード表示１１６、設定値表示１１７については、図８の説明参照。選択枠１２０については、図１３の説明参照。
【００５６】
タッチ位置検出領域３５ａ〜タッチパネル表示３５ｄにおいて、タッチパネル２０６については、図２の説明参照。動作モード表示領域２０６ａ、設定値表示領域２０６ｂについては、図４の説明参照。接触検出位置２１３ａは指が未接触状態から最初に接触検出された位置を、また接触検出位置２１３ｄは動作モード、および、動作設定値選択時の接触検出された位置を示す。動作モード選択用分割領域２１４ａ〜２１４ｃ、動作設定値選択用分割領域２１５ａ〜２１５ｅ、選択枠２１６については、図１３の説明参照。タッチパネル２０６での操作が有効状態である場合は、図１５のタッチパネル表示３５ｃ、３５ｄに示すようなタッチパネル２０６の動作モード表示領域２０６ａには選択可能な動作モード、設定値表示領域２０６ｂには動作モードに応じた選択可能なプリセット値が、タッチ位置検出領域３５ａに示すような動作モード選択用分割領域２１４ａ〜２１４ｃと動作設定値選択用分割領域２１５ａ〜２１５ｅで設定されるタッチ位置検出領域と対応する位置に表示され、タッチ操作により選択された動作モードやプリセット値の部分は反転表示や選択枠２１６の表示が行われる。また、カメラ本体１０１の背面モニタ１０５に、図１５のタッチパネル操作表示３５ｅ、３５ｆに示すようなタッチパネル２０６で選択されているモードと同じ動作モード表示１１６と選択モードに応じたプリセット値表示１１７ｐが表示され、選択されたプリセット値の部分に選択枠１２０が表示される。
【００５７】
撮影者はタッチパネル２０６上でタッチ、スライド、長押し等の操作を行うことにより、動作モードやプリセット値の選択操作、プリセット動作の実行操作等を行うことができる。例えば、タッチ操作が行われて図１５のタッチ位置検出領域３５ａに示す接触検出位置２１３ａが検出された場合、タッチパネル表示３５ｃに示すように接触検出位置２１３ａに対応するプリセットズームモード表示“ＰＺ”が反転表示に切換わり、プリセット値“３０ｍｍ”の部分に選択枠２１６が表示されると共に、タッチパネル操作表示３５ｅに示すように背面モニタ１０５の動作モード表示１１６にプリセットズームモード表示“ＰＺ”が、またプリセット値表示１１７ｐの“３０ｍｍ”の部分に選択枠１２０が表示される。また、タッチ位置検出３５ｂに示すように接触検出位置２１３ａを基準とした動作設定値選択用分割領域２１５ａ〜２１５ｄと動作モード選択用分割領域２１４ａ〜２１４ｃの領域幅を未操作時よりも狭めた動作設定値選択用のタッチ位置検出領域が設定される。次に、撮影者がタッチパネル２０６に指を接触させたまま上下方向にスライドさせて図１５のタッチ位置検出３５ｂに示す接触検出位置２１３ｄに接触位置を移動させると、タッチパネル表示３５ｄに示すように接触検出位置２１３ｄに対応するプリセットフォーカスモード表示“ＰＦ”が反転表示に切換わり、選択枠２１６は接触検出位置２１３ｄに対応するプリセット値“∞”の部分に表示されると共に、タッチパネル操作表示３５ｆに示すように背面モニタ１０５の動作モード表示１１６がプリセットフォーカスモード表示“ＰＦ”に切換わり、プリセット値表示１１７ｐの選択枠１２０はプリセット値“∞”の部分に表示される。この状態でタッチパネル２０６から指を離すと、動作モードと動作設定値の選択がプリセットフォーカスモード“∞”位置で確定し、焦点調節レンズ２０３が“∞”位置に駆動される。
【００５８】
図１６のフローチャートを参照して、本実施の形態３におけるタッチパネルの操作例を詳細に説明する。図１６は、本発明の実施の形態３に係る交換レンズのプリセット動作関連処理の一例を説明するためのフローチャートである。ステップＳ６３１〜Ｓ６３３では、ステップＳ１３１〜Ｓ１３３と同様の処理のため詳細説明を省略する。ステップＳ６３４では、レンズＣＰＵ２２１は接触検出前に動作モード選択用分割領域２１４ａ〜２１４ｃと動作設定値選択用分割領域２１５ａ〜２１５ｅにより図１５のタッチ位置検出領域３５ａのように設定されていたタッチ位置検出領域を、タッチ位置検出３５ｂに示すようにステップＳ５３３で検出された最初の接触検出位置２１３ａを基準として、動作モード選択用分割領域２１４ａ〜２１４ｃと動作設定値選択用分割領域２１５ａ〜２１５ｄの設定による動作設定値選択用タッチ位置検出領域の設定に変更する。この場合の動作モード選択用分割領域２１４ａ〜２１４ｃと動作設定値選択用分割領域２１５ａ〜２１５ｄの各領域の設定幅は、少ない指の動きで動作設定値選択を行えるように、未接触時の設定よりも狭い幅、例えば、１／２の幅に設定される。
【００５９】
ステップＳ６３５では、レンズＣＰＵ２２１はパネル制御回路２２８により指の接触が検出された領域に対応する位置のタッチパネル２０６の動作モード表示領域２０６ａの動作モード表示と設定値表示領域２０６ｂのプリセット値表示の選択表示を変更する。また、カメラ本体ＣＰＵ１２１は同期通信で取得したレンズ状態データ２３１から接触検出された領域を検知し、表示回路１２８により背面モニタ１０５上に表示されている動作モード表示１１６を検知領域に対応する表示に切換えると共に、設定値表示１１７の中の検知位置に対応するプリセット値表示の選択表示を変更する。例えば、図１５のタッチ位置検出領域３５ａに示すように接触検出位置が２１３ａである場合、タッチパネル表示３５ｃに示すように接触検出位置２１３ａに対応する表示を行う。また、タッチパネル操作表示３５ｅに示すように背面モニタ１０５に表示する。ステップＳ６３６では、レンズＣＰＵ２２１は長押し検出用のタイマをスタートさせる。ステップＳ６３７では、レンズＣＰＵ２２１はパネル制御回路２２８により、ステップＳ６３４で設定された動作設定値選択用タッチ位置検出領域に対して接触位置の変化、例えば、図１５のタッチ位置検出３５ｂに示すように接触検出位置２１３ａから接触検出位置２１３ｄへのような位置変化が発生したか否かを判断し、変化ありの場合はステップＳ６３８に、変化ない場合はステップＳ６４０に進む。
【００６０】
ステップＳ６３８では、レンズＣＰＵ２２１はパネル制御回路２２８により接触位置変化後の領域に対応するタッチパネル２０６の動作モード表示領域２０６ａの動作モード表示と設定値表示領域２０６ｂのプリセット値表示の選択表示を変更する。また、カメラ本体ＣＰＵ１２１は同期通信で取得したレンズ状態データ２３１から接触位置変化後の領域を検知し、背面モニタ１０５上に表示されている動作モード表示１１６を検知領域に対応する表示に切換えると共に、設定値表示１１７のプリセット値を検知位置に対応する動作モードの設定値に変更する。例えば、図１５のタッチ位置検出３５ｂに示すように接触検出位置が動作モード選択用分割領域２１４ｂと動作設定値選択用分割領域２１５ｂで設定される領域内の接触検出位置２１３ａから動作モード選択用分割領域２１４ａと動作設定値選択用分割領域２１５ｄで設定される領域内の接触検出位置２１３ｄに変化した場合、タッチパネル表示３５ｄに示すように接触検出位置２１３ｄに対応する表示を行う。また、タッチパネル操作表示３５ｆに示すように背面モニタ１０５の動作モード表示１１６の表示を変更する。ステップＳ６３９では、レンズＣＰＵ２２１は設定値変更モード移行判断用の長押し検出用のタイマを再スタートさせる。ステップＳ６４０では、レンズＣＰＵ２２１はパネル制御回路２２８でタッチパネル２０６から指が離れたことが検出されたか否かを判断し、検出ありの場合はステップＳ６４１に進み、検出なしの場合はステップＳ６４３に進む。ステップＳ６４１では、レンズＣＰＵ２２１はタッチパネル２０６から指が離れる直前に接触検出された領域のプリセット動作モードとプリセット値に応じてプリセット動作を実行する。
【００６１】
ステップＳ６４２では、レンズＣＰＵ２２１は動作設定値選択モードで動作モード選択用分割領域２１４ａ〜２１４ｃと動作設定値選択用分割領域２１５ａ〜２１５ｄにより図１５のタッチ位置検出３５ｂのように設定されていた動作設定値選択用のタッチ位置検出領域を、タッチ位置検出領域３５ａに示すように設定される未接触時のタッチ位置検出領域の設定に変更する。ステップＳ６４３では、レンズＣＰＵ２２１は長押し検出用のタイマの計時が所定時間、例えば２秒間以上経過したか否かを判断し、経過していればステップＳ６４４に進んで設定値変更モードに移行し、未経過であればステップＳ６３７に戻る。ステップＳ６４４では、ステップＳ６４２と同様に動作設定値選択用のタッチ位置検出領域を未接触時のタッチ位置検出領域の設定に変更する。ステップＳ６４５〜Ｓ６５４はステップＳ１４２〜Ｓ１５１と同様、ステップＳ６５５〜Ｓ６５９はステップＳ１５２〜Ｓ１５６と同様、ステップＳ６６０〜Ｓ６６４はステップＳ１５７〜Ｓ１６１と同様の処理であり説明を省略する。
以上で説明したように実施の形態３によれば、実施の形態１と同様に撮影時に良好なホールド状態を維持したまま、プリセット操作前に実行したい動作モードの選択しておく必要がなく、操作時に複数動作モードから実行動作モードと動作設定値を同時に選択してレンズ操作を行うことが可能な操作性の良い交換レンズ２０１、および、カメラシステム１００を提供することができる。
【００６２】
以上説明したように、本発明の上述の各実施の形態によれば、撮影時に不要な操作音の発生がなく不自然な画像変化が少ない高品位な映像を撮影することができると共に、撮影時の操作性がよい交換レンズ、および、カメラシステムを提供することができる。
なお、本発明は、上述の実施の形態に例示した構成に限らず、その趣旨を逸脱しない範囲で種々変更可能であることは言うまでもない。
【符号の説明】
【００６３】
１００  カメラシステム
１０１  カメラ本体
１０２  カメラ制御回路
１０３  撮像素子
１０４  フォーカルプレンシャッタ
１０５  背面モニタ
１０６  ストロボ
１０７  レリーズ釦
１０８  バッテリー
１１０  動画釦
１１１  広角ズーム釦
１１２  望遠ズーム釦
１１３  選択ダイアル
１１４ａ  上釦
１１４ｂ  下釦
１１４ｃ  左釦
１１４ｄ  右釦
１１５  決定釦
１１６  動作モード表示
１１６ｆ  強度設定モード表示
１１６ｍ  撮影設定モード表示
１１６ｐ  プリセット動作モード表示
１１７  設定値表示
１１７ｐ  プリセット値表示
１１８  ワンタッチ選択範囲枠
１１９  レンズ操作状態表示
１２０  選択枠
１２１  カメラ本体ＣＰＵ
１２２  不揮発性メモリ
１２３  メモリ
１２４  撮像素子制御回路
１２５  ストロボ制御回路
１２６  シャッタ制御回路
１２７  画像処理回路
１２８  表示回路
１２９  操作スイッチ検出回路
１３０  電源回路
１３１  カメラ本体通信回路
１３２  第１レリーズスイッチ
１３３  第２レリーズスイッチ
１４０  プログラム
２０１  交換レンズ
２０１ａ  鏡胴
２０１ｂ  光学系
２０２  レンズ制御回路
２０３  焦点調節レンズ
２０４  ズームレンズ
２０５  絞り
２０６  タッチパネル
２０６ａ  動作モード表示領域
２０６ａｐ  プリセット動作モード表示領域
２０６ｂ  設定値表示領域
２０６ｂｐ  プリセット値表示領域
２０７  指標
２０７ａ〜２０７ｅ  半球突起形指標
２０７ａ１〜２０７ｄ１  矩形突起形指標
２０７ａ２  凹凸面
２０７ａ３  点字
２０７ｂ２  光沢面
２０７ｂ３  点字
２０７ｃ２  凹凸面
２０７ｃ３  点字
２０７ｄ２  光沢面
２０７ｄ３  点字
２０７ｅ  半球突起形指標
２０７ｅ１  矩形突起形指標
２０７ｅ２  凹凸面
２０７ｅ３  点字
２０８ａ〜２０８ｄ  設定・動作操作用タッチ位置検出領域
２０８ｅ  動作モード選択用タッチ位置検出領域
２１３ａ〜２１３ｄ  接触検出位置
２１４ａ〜２１４ｃ  動作モード選択用分割領域
２１５ａ〜２１５ｅ  動作設定値選択用分割領域
２１６  選択枠
２１７  反転表示
２１８  点滅表示
２２１  レンズＣＰＵ
２２２  焦点調節レンズ駆動回路
２２３  焦点調節レンズ位置検出回路
２２４  ズームレンズ駆動回路
２２５  ズーム位置検出回路
２２６  絞り駆動回路
２２７  メモリ
２２８  パネル制御回路
２２９  レンズ通信回路
２３１  レンズ状態データ
２４０  プログラム
７００  被写体光
【図１】
0005855395.tif 000002
【図２】
0005855395.tif 000003
【図３】
0005855395.tif 000004
【図４】
0005855395.tif 000005
【図８】
0005855395.tif 000006
【図１０】
0005855395.tif 000007
【図１１】
0005855395.tif 000008
【図１２】
0005855395.tif 000009
【図１４】
0005855395.tif 000010
【図１６】
0005855395.tif 000011
【図５】
0005855395.tif 000012
【図６】
0005855395.tif 000013
【図７Ａ】
0005855395.tif 000014
【図７Ｂ】
0005855395.tif 000015
【図９】
0005855395.tif 000016
【図１３】
0005855395.tif 000017
【図１５】
0005855395.tif 000018